(57)【要約】【課題】画像形成装置内において電線をブラケットに簡単に挿通状態で保持させる。【解決手段】対象物２００の表面に画像を形成する画像形成装置１００であって、底部１２６と底部１２６から起立状に設けられる壁部１２７とを有し、一面が開口する箱形状で、内方に電気部品１０３を保持するブラケット１０２と、ブラケット１０２の壁部１２７を厚さ方向に貫通し、ブラケット１０２の開口端１２９側は開口し開口端１２９から底部１２６に向かって延在する第一スリット１２１と、ブラケット１０２の壁部１２７を厚さ方向に貫通し、第一スリット１２１と連通し、第一スリット１２１の延在方向と交差する方向に延在する第二スリット１２２とを備え、第一スリット１２１、および、第二スリット１２２は、電気部品１０３と接続されるハーネス１５０をはめ込むことができる幅を有する。【選択図】図３
2015070629.tif 000002
【特許請求の範囲】
【請求項１】
対象物の表面に画像を形成する画像形成装置であって、
底部と前記底部から起立状に設けられる壁部とを有し、一面が開口する箱形状で、内方に電気部品を保持するブラケットと、
前記ブラケットの壁部を厚さ方向に貫通し、前記ブラケットの開口端側は開口し前記開口端から底部に向かって延在する第一スリットと、
前記ブラケットの壁部を厚さ方向に貫通し、前記第一スリットと連通し、前記第一スリットの延在方向と交差する方向に延在する第二スリットとを備え、
前記第一スリット、および、前記第二スリットは、前記電気部品と接続されるハーネスをはめ込むことができる幅を有する
画像形成装置。
【請求項２】
前記第一スリットと前記第二スリットとを備えることにより、前記第二スリットの延在方向に突出する突起部が形成される
請求項１に記載の画像形成装置。
【請求項３】
前記ブラケットの壁部に貫通状に設けられ、前記ブラケットの開口端側は開口し前記開口端から底部に向かって延在する第三スリットと、
前記ブラケットの壁部に貫通状に設けられ、前記第三スリットと連通し、前記第一スリットに向かって延在する第四スリットとを備え、
前記第三スリット、および、前記第四スリットは、前記電気部品と接続されるハーネスをはめ込むことができる幅を有する
請求項１または請求項２に記載の画像形成装置。
【請求項４】
前記ブラケットは、前記第二スリットにはめ込まれた前記ハーネスと、前記第四スリットにはめ込まれた前記ハーネスとを絶縁状態で区切る仕切板を備える
請求項３に記載の画像形成装置。
【請求項５】
前記電気部品は熱ヒューズである
請求項３に記載の画像形成装置。
【発明の詳細な説明】
【技術分野】
【０００１】
本願発明は、ファクシミリなどのデータを画像化する画像形成装置に関し、特に、電気部品を着脱可能に収容するブラケットを備えた画像形成装置に関する。
【背景技術】
【０００２】
例えば、ファクシミリ、プリンターなどの画像形成装置の内部には、種々の電気部品、が設けられており、これらは電線（ハーネス）によって接続されている。一方、画像形成装置の内部には、画像形成の対象物である紙を搬送するための駆動装置などが設けられており、振動が発生する。従って、画像形成装置の内部において電線が振動によって不本意に揺れ動くと抑制する対策が取られる。
【０００３】
例えば、特許文献１には、ヒーターを取り付けるためのブラケットに設けられた通路状の孔に電気部品であるヒーターに接続される電線を配線することにより、電線を固定する技術が記載されている。
【先行技術文献】
【特許文献】
【０００４】
【特許文献１】特開２００１−０６３１１１号公報
【発明の概要】
【発明が解決しようとする課題】
【０００５】
ところが、電気部品を固定するためのブラケットに貫通孔を設け、当該貫通孔に電線を刺し通す場合、貫通孔によって電線を拘束しようとすると、貫通孔の径と電線の径とが近似するため、刺し通し作業が困難になる。また、電線の先端に接続端子が取り付けられているような場合では、接続端子を刺し通すことができる貫通孔では電線を拘束することは困難となる。また、電線を刺し通した後に接続端子を電線に取り付けたり、特許文献１に記載のようにブラケットを二つ割りとして電線を配線後組み立てたりする場合は、作業工程が増加する。
【０００６】
本願発明は、上記課題に鑑みなされたものであり、簡単な作業工程で電気部品を保持するブラケットに電線を貫通状態で配線し、かつ、ブラケットにより電線を拘束することができる画像形成装置の提供を目的とする。
【課題を解決するための手段】
【０００７】
上記目的を達成するために、本願発明にかかる画像形成装置は、対象物の表面に画像を形成する画像形成装置であって、底部と前記底部から起立状に設けられる壁部とを有し一面が開口する箱形状で、内方に電気部品を保持するブラケットと、前記ブラケットの壁部を厚さ方向に貫通し、前記ブラケットの開口端側は開口し前記開口端から底部に向かって延在する第一スリットと、前記ブラケットの壁部を厚さ方向に貫通し、前記第一スリットと連通し、前記第一スリットの延在方向と交差する方向に延在する第二スリットとを備え、前記第一スリット、および、前記第二スリットは、前記電気部品と接続されるハーネスをはめ込むことができる幅を有することを特徴とする。
【０００８】
これによれば、第一スリットの開口にハーネスを挿入することにより、簡単な作業によってブラケットを貫通するようにハーネスを配線することができる。さらに、第一スリットと交差状態で連通する第二スリットに電線を移動させることにより、簡単にハーネスをブラケットに拘束させることが可能となる。
【０００９】
また、前記第一スリットと前記第二スリットとを備えることにより、前記第二スリットの延在方向に突出する突起部が形成される。
【００１０】
これにより、第一スリット、または、第二スリットに挿入する際にハーネスがガイドされて挿入操作をスムーズに行え、ハーネスを拘束して位置決めを行うことが可能となる。
【００１１】
さらに、前記ブラケットの壁部に貫通状に設けられ、前記ブラケットの開口端側は開口し前記開口端から底部に向かって延在する第三スリットと、前記ブラケットの壁部に貫通状に設けられ、前記第三スリットと連通し、前記第一スリットに向かって延在する第四スリットとを備え、前記第三スリット、および、前記第四スリットは、前記電気部品と接続されるハーネスをはめ込むことができる幅を有するものでもよい。
【００１２】
これによれば、ブラケット内部の異なる位置において接続される複数本のハーネスを近づけた状態でブラケットに拘束させることができるため、ブラケットから延びる複数本のハーネスの取り回しを容易に行うことが可能となる。
【００１３】
また、前記ブラケットは、前記第二スリットにはめ込まれた前記ハーネスと、前記第四スリットにはめ込まれた前記ハーネスとを絶縁状態で区切る仕切板を備えてもよい。
【００１４】
これによれば、第二スリットにはめ込まれるハーネスと第四スリットにはめ込まれるハーネスとの間を電気的に絶縁することができる。
【発明の効果】
【００１５】
本願発明によれば、ブラケットに収容される電気部品に接続される電線を、ブラケットに貫通した状態で簡単に配線でき、また、容易に電線をブラケットに拘束させることができる。
【図面の簡単な説明】
【００１６】
【図１】図１は、画像形成装置中のサーマルヘッドユニットとヒューズユニットとを断面で模式的に示す図である。
【図２】図２は、サーマルヘッドユニットとヒューズユニットとを示す斜視図である。
【図３】図３は、ヒューズユニット部分を一部を省略して示す斜視図である。
【図４】図４は、ブラケットのスリットが設けられた面を示す側面図である。
【図５】図５は、電線などの挿入方向を示す側面図である。
【発明を実施するための形態】
【００１７】
次に、本願発明に係る画像形成装置の実施の形態について、図面を参照しつつ説明する。なお、以下の実施の形態は、本願発明に係る画像形成装置の一例を示したものに過ぎない。従って本願発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００１８】
図１は、画像形成装置中のサーマルヘッドユニットとブラケットとを断面で模式的に示す図である。
【００１９】
同図に示すように、画像形成装置１００は、デジタルデータに基づき対象物２００の表面に画像を形成する画像形成装置１００である。画像形成装置１００は、サーマルヘッドユニット１０１と、電気部品１０３、および、電気部品１０３を保持するブラケット１０２とを備えている。
【００２０】
本実施の形態の場合、画像形成装置１００は、電話回線などを介して受信されたデジタルデータに基づき対象物２００である記録紙（感熱紙、または、普通紙など）の表面に文字などを含む画像を形成するファクシミリである。画像形成装置１００は、データを送信する為に紙の表面に表された画像を読み取る図示しない画像読取装置、および、送信先などを指示するための図示しない操作パネルを備えている。さらに画像形成装置１００は、対象物２００としての記録紙をサーマルヘッドユニット１０１に押し付けるプラテンローラ１０８、および、画像形成前の記録紙を保持する給紙トレイ１９１、画像が形成されて排紙された記録紙を保持する排紙トレイ１９２などを備えている。
【００２１】
図２は、サーマルヘッドユニットとブラケットとを示す斜視図である。
【００２２】
サーマルヘッドユニット１０１は、主走査方向（図中Ｘ軸方向）に並んで配置される複数の微小な発熱体（図示せず）を有するユニットである。サーマルヘッドユニット１０１は、並べて配置された発熱体の全部または一部を画像データに応じて昇温させ、サーマルヘッドユニット１０１を主走査方向と交差する方向（図中Ｙ軸方向）に通過する対象物２００（例えば感熱紙）の表面に発熱体の熱に基づき文字、および、絵などを含む画像を形成していくユニットである。
【００２３】
本実施の形態の場合、サーマルヘッドユニット１０１は、サーミスタなどの熱によって物理特性が変化する検温手段（図示せず）を備えており、通常は検温手段からの情報に基づきサーマルヘッドユニット１０１の温度を管理している。
【００２４】
電気部品１０３は、画像形成装置１００が備える部品であり、電気的、または、電子的な作用により種々の機能を発揮する部品である。本実施の形態の場合、電気部品１０３として熱ヒューズを例示している。電気部品１０３としての熱ヒューズは、サーマルヘッドユニット１０１が異常に昇温した場合、サーマルヘッドユニット１０１からの熱に基づく溶断によって通電を遮断し、サーマルヘッドユニット１０１への電力の供給を遮断する不可逆的素子である。電気部品１０３としての熱ヒューズは、円柱形状の感熱部１３１の両端部からそれぞれ長さの異なる長リード線１３２、短リード線１３３とが軸線に沿って延びるものが採用されている。
【００２５】
図３は、一部を省略して取付状態のブラケットを示す斜視図である。
【００２６】
図４は、ブラケットのスリットが設けられた面を示す側面図である。
【００２７】
これらの図に示すように、ブラケット１０２は、内方に電気部品１０３を保持する箱形状の部材である。ブラケット１０２は、底部１２６と底部１２６から起立状に設けられる壁部１２７とを有し一面に開口端１２９を備えている。また、ブラケット１０２の壁部１２７には、第一スリット１２１と、第二スリット１２２とが設けられている。さらに本実施の形態の場合、壁部１２７には、第三スリット１２３と、第四スリット１２４と、仕切板１２０とが設けられている。
【００２８】
ブラケット１０２は、本実施の形態の場合、電気部品１０３としての熱ヒューズをサーマルヘッドユニット１０１から所定の距離を隔てて配置する為の支持具である。また、ブラケット１０２は、電気部品１０３として電極１３４も収容状態で保持している。電極１３４は、接続端子１５１と熱ヒューズとを電気的に接続するものである。
【００２９】
また、ブラケット１０２は、サーマルヘッドユニット１０１の主走査方向（図中Ｘ軸方向）の中央部に感熱部１３１が位置するように熱ヒューズを保持している。サーマルヘッドユニット１０１の主走査方向の両側部は外側に放熱しやすいが、サーマルヘッドユニット１０１の主走査方向の中央部は熱を持った前記両側部により放熱が難しい。従って、このように、熱ヒューズの感熱部１３１を配置することで、サーマルヘッドユニット１０１の熱が逃げにくい主走査方向の中央部に異常な昇温が発生しても、早期に電気部品１０３が反応してサーマルヘッド１０１への電力の供給を遮断することが可能となる。
【００３０】
底部１２６は、電気部品１０３とサーマルヘッドユニット１０１とを仕切りブラケット１０２全体の構造的基礎となる部分である。底部１２６は、電気部品１０３の長リード線１３２、短リード線１３３、および、電極１３４などの電流が流れる部分とサーマルヘッドユニット１０１との高い絶縁状態を維持する機能も担っている。
【００３１】
壁部１２７は、画像形成装置１００の他の電装品と電気部品１０３との接触を回避する機能も担っている。
【００３２】
また、筒形状の壁部１２７の底部１２６と反対側は、前面が開口した開口端１２９となっており、電気部品１０３を開口端１２９に通過させることにより、電気部品１０３をブラケット１０２に対し容易に交換することが可能となる。
【００３３】
壁部１２７に設けられる第一スリット１２１は、ブラケット１０２の壁部１２７を厚さ方向（図中Ｚ軸方向）に貫通している。また第一スリット１２１は、ブラケット１０２の開口端１２９側（図中Ｙ軸方向の負側）に開口した挿入口１２５を有している。また第一スリット１２１は、ブラケット１０２の開口端１２９から底部１２６に向かって（図中Ｙ軸方向の正側に向かって）延在している。つまり、第一スリット１２１は、ブラケット１０２の開口端１２９側、および、壁部１２７の厚さ方向の両端部が開口した溝形状となっている。
【００３４】
本実施の形態の場合、第一スリット１２１は、ハーネス１５０の少なくとも一部を通過させることができる幅（図中Ｘ軸方向における長さ）を備えている。ここで、ハーネス１５０とは、ブラケット１０２に取り付けられた電機部品１０３とブラケット１０２の外に配置される電気機器とを接続するための線状の電気部材であり、本実施の形態のように、電線１５２（図３参照）と、電線１５２の端部に接続される接続端子１５１とを含む概念で用いている。なお、ハーネス１５０には接続用のプラグなどが含まれていてもかまわない。
【００３５】
壁部１２７に設けられる第二スリット１２２は、第一スリット１２１と同様に、ブラケット１０２の壁部１２７を厚さ方向（図中Ｚ軸方向）に貫通している。また、第二スリット１２２は、第一スリット１２１と連通している。つまり、第一スリット１２１と第二スリット１２２とは、接続端子１５１、または、電線１５２が行き来できるように連なって通じている。また、第二スリット１２２は、第一スリット１２１の延在方向と交差する方向に延在している。
【００３６】
以上のように第一スリット１２１と第二スリット１２２とを壁部１２７に設けることで、壁部１２７には第二スリット１２２の延在方向に突出する突起部１２８が形成される。突起部１２８は、ハーネス１５０を第一スリット１２１、または、第二スリット１２２に挿入する際のガイドする機能を備え、ハーネス１５０の挿入後にハーネス１５０の一部を拘束して位置決めする機能を備えている。
【００３７】
本実施の形態の場合、第二スリット１２２は、第一スリット１２１の延在方向（図中Ｙ軸方向）と直交する方向（図中Ｘ軸方向）に延在している。また、第二スリット１２２の幅は、ハーネス１５０の一部、例えばハーネス１５０の他よりも細い部分を通過させることができる幅（図中Ｙ軸方向における長さ）を備えている。
【００３８】
なお、第二スリット１２２の幅は、第一スリット１２１の幅よりも狭く設定されてもかまわない。これにより、ハーネス１５０（例えば、接続端子１５１、または、電線１５２）を第一スリット１２１に容易にはめ込むことができ、かつ、ハーネス１５０を第二スリット１２２にはめ込むことでハーネス１５０をしっかりと第二スリット１２２で保持させ易くなる。また、第二スリット１２２は、第一スリット１２１から遠ざかるにつれて徐々に幅が狭くなるテーパー形状を有していてもかまわない。
【００３９】
壁部１２７に設けられる第三スリット１２３は、ブラケット１０２の壁部１２７を厚さ方向（図中Ｚ軸方向）に貫通している。また第三スリット１２３は、ブラケット１０２の開口端１２９側（図中Ｙ軸方向の負側）に開口した挿入口１２５を有している。また第三スリット１２３は、ブラケット１０２の開口端１２９から底部１２６に向かって（図中Ｙ軸方向の正側に向かって）延在している。つまり、第三スリット１２３は、ブラケット１０２の開口端１２９側、および、壁部１２７の厚さ方向の両端部が開口した溝形状となっている。
【００４０】
本実施の形態の場合、第三スリット１２３は、第一スリット１２１が設けられている壁部１２７と同じ面の壁部１２７に設けられている。また、第三スリット１２３は、第一スリット１２１と、平行に延在するように壁部１２７に設けられている。第三スリット１２３は、第一スリット１２１と同様、ハーネス１５０（図３参照）を通過させることができる幅（図中Ｘ軸方向における長さ）を備えている。
【００４１】
壁部１２７に設けられる第四スリット１２４は、第三スリット１２３と同様に、ブラケット１０２の壁部１２７を厚さ方向（図中Ｚ軸方向）に貫通している。また、第四スリット１２４は、第三スリット１２３と連通している。つまり、第三スリット１２３と第四スリット１２４とは、ハーネス１５０が行き来できるように連なって通じている。また、第四スリット１２４は、第三スリット１２３の延在方向と交差する方向に延在している。さらに第四スリット１２４は、第一スリット１２１に向かって延在している。
【００４２】
本実施の形態の場合、第四スリット１２４は、第三スリット１２３の延在方向（図中Ｙ軸方向）と直交する方向（図中Ｘ軸方向）に延在している。また、第四スリット１２４の幅は、ハーネス１５０（図３参照）を通過させることができる幅（図中Ｙ軸方向における長さ）を備えている。また、第二スリット１２２と第四スリット１２４とは同一軸線上に並ぶように延在している。
【００４３】
以上のように第二スリット１２２と第四スリット１２４とを配置することで、第二スリット１２２に保持される電線１５２と、第四スリット１２４に保持される電線１５２とを近づけることができ、ブラケット１０２から外方に延びる電線１５２を容易に束ねることが可能となる。
【００４４】
仕切板１２０は、第二スリット１２２にはめ込まれたハーネス１５０と、第四スリット１２４にはめ込まれたハーネス１５０とを絶縁状態で区切るブラケット１０２の部分である。本実施の形態の場合、仕切板１２０は、ブラケット１０２の底部１２６と壁部１２７との間に設けられたリブ状の部分であり、二つの電極１３４を仕切るように底部１２６から立設される壁状の部分である。
【００４５】
仕切板１２０は、二つの電極１３４や、電極１３４に接続されるハーネス１５０（電極端子１５１、電線１５２など）を電気的に絶縁し、二つの電極１３４の間で短絡することを防止する部分である。
【００４６】
本実施の形態の場合、画像形成装置１００はさらに、第二ブラケット１０４を備えている。第二ブラケット１０４は、サーマルヘッドユニット１０１、および、ブラケット１０２を一体に固定する部材である。また、第二ブラケット１０４は、サーマルヘッドユニット１０１と共にブラケット１０２を画像形成装置１００の内部に固定する部材である。
【００４７】
第二ブラケット１０４は、一部折り曲げ加工がなされた矩形板状の部材である。第二ブラケット１０４は、サーマルヘッドユニット１０１のプラテンローラ１０８が配置される面と反対側の面のほぼ全体に接触した状態でサーマルヘッドユニット１０１を保持する部材である。さらに第二ブラケット１０４は、サーマルヘッドユニット１０１からブラケット１０２に向かって突出した突出部１４１を備えている。
【００４８】
また第二ブラケット１０４は、突出部１４１を貫通した状態でブラケット１０２を保持している。具体的には、突出部１４１にブラケット１０２が通過することができる矩形の取付孔１４２が設けられている。また、取付孔１４２は、突出部１４１の打抜き加工により形成される。また、折曲加工により突出部１４１から垂れ下がった垂下部１４３は、ブラケット１０２を締結により取り付ける為の取付部となっている。なお、第二ブラケット１０４にはリブ１４４が設けられている。
【００４９】
以上のようなブラケット１０２によれば、ハーネス１５０（電線１５２、または、接続端子１５１）の一部分を、図５に示す破線矢印のように、第一スリット１２１（第三スリット１２３）に壁部１２７を貫通するようにはめ込み、さらに、第二スリット１２２（第四スリット１２４）にハーネス１５０をスライドさせることで、ハーネス１５０をブラケット１０２に簡単に保持させることが可能となる。
【００５０】
またブラケット１０２は、画像形成装置１００の内部に固定（本実施の形態の場合、第二ブラケット１０４を介して固定）されているため、ハーネス１５０（電線１５２）が振動により不本意に揺れ動くことが抑制される。
【００５１】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００５２】
例えば、ブラケット１０２は、フタにより閉ざされるものでもかまわない。また、説明のため矩形のブラケット１０２を例示したが、ブラケット１０２の形状は、任意である。また、第二スリット１２２や第四スリット１２４には複数本の電線１５２、または、接続端子１５１を保持させてもかまわない。
【産業上の利用可能性】
【００５３】
本願発明は、画像形成装置に利用可能であり、特に、ファクシミリ、または、コピー機、これらの複合機などに利用可能である。
【符号の説明】
【００５４】
１００  画像形成装置
１０１  サーマルヘッドユニット
１０２  ブラケット
１０３  電気部品
１０４  第二ブラケット
１０８  プラテンローラ
１２０  仕切板
１２１  第一スリット
１２２  第二スリット
１２３  第三スリット
１２４  第四スリット
１２５  挿入口
１２６  底部
１２７  壁部
１２８  突起部
１２９  開口端
１３１  感熱部
１３２  長リード線
１３３  短リード線
１３４  電極
１４１  突出部
１４２  取付孔
１４３  垂下部
１４４  リブ
１５０  ハーネス
１５１  接続端子
１５２  電線
１９１  給紙トレイ
１９２  排紙トレイ
２００  対象物
【図１】
2015070629.tif 000003
【図２】
2015070629.tif 000004
【図３】
2015070629.tif 000005
【図４】
2015070629.tif 000006
【図５】
2015070629.tif 000007